(57)【要約】      （修正有）【課題】リード線をハウジングの外縁部に係止させてハウジング外部に引き出す構造において、リード線の抜け防止の確実性を向上することができるファンを提供する。【解決手段】銘板６をファン１のハウジング２に貼付する際に、銘板６の本体部６１がハウジング２のベース部５に、腕部６２がリード線ガイド部に、手部６３がリード線係止部２２の開口２３に、指部６４が開口２３の縁部２５に対応されるようにする。【選択図】図４
0003147761.tif 000002
【実用新案登録請求の範囲】
【請求項１】
ハウジングと、モータと、前記モータに電流を供給するリード線と、銘板とを備えるファンであって、
前記ハウジングは前記モータを支持するベース部と、前記ハウジングの外縁部に前記リード線を係止するリード線係止部とを備え、
前記リード線係止部は開口を有し、
前記銘板は本体部と、腕部と、腕部に連なる手部と、手部から延伸する指部とを有し、
前記銘板は少なくとも前記銘板本体部と前記銘板指部の片面または両面に粘着材を塗布してなり、
前記銘板本体部は前記ハウジングの外面の一部に貼付され、
前記銘板手部は前記リード線係止部開口の少なくとも一部を被い、
前記銘板指部は前記リード線係止部開口の縁部近傍に貼付される、
ことを特徴とするファン。
【請求項２】
前記ハウジングは前記モータから導出された前記リード線を前記リード線係止部へと導くリード線ガイド部を有し、
前記銘板腕部は前記リード線ガイド部を被う、
ことを特徴とする請求項１に記載のファン。
【請求項３】
前記銘板指部に塗布された粘着材の粘着力は、前記銘板本体部に塗布された粘着材の粘着力より強い、
ことを特徴とする請求項１または２に記載のファン。
【請求項４】
前記銘板と前記ハウジングとはそれぞれ対応する位置合わせ部を少なくとも２箇所ずつ有する、
ことを特徴とする請求項１ないし３のいずれかに記載のファン。
【考案の詳細な説明】
【技術分野】
【０００１】
本考案は、ファンに関し、特にリード線がハウジングのリード線係止部から抜けることを防止する構造に関する。
【背景技術】
【０００２】
ファンにおいてはモータから導出されるリード線をハウジングの外に引き出す必要があるが、かかる目的を達するためにいかなる方途で対処するかが重大な問題である。
【０００３】
この点、例えば特開２００５−１２７３１９号公報の図３には、ハウジングの外縁部を一部切り欠いてリード線を挿通、収容できる空間を設けるとともにその空間からリード線が容易に外れないようにフックを設ける方法が開示されている。
【特許文献１】特開２００５−１２７３１９号公報
【考案の開示】
【考案が解決しようとする課題】
【０００４】
しかし、上記方法では、リード線をハウジングの外部から引っ張る応力によっては、切り欠いた部位の縁とフックとの間からリード線が抜け出てしまうのを防止できない場合があった。
【課題を解決するための手段】
【０００５】
本考案は、上記問題に鑑みてなされたものであり、リード線をハウジングの外縁部に係止させてハウジング外部に引き出す構造において、リード線の抜け防止の確実性を向上することを目的とする。
【０００６】
上記目的を達するためになされた本願の考案は、ハウジングと、モータと、前記モータに電流を供給するリード線と、銘板とを備えるファンであって、前記ハウジングは前記モータを支持するベース部と、前記ハウジングの外縁部に前記リード線を係止するリード線係止部とを備え、前記リード線係止部は開口を有し、前記銘板は本体部と、腕部と、腕部に連なる手部と、手部から延伸する指部とを有し、前記銘板は少なくとも前記銘板本体部と前記銘板指部の片面もしくは両面に粘着材を塗布してなり、前記銘板本体部は前記ハウジングの外面の一部に貼付され、前記銘板手部は前記リード線係止部開口の少なくとも一部を被い、前記銘板指部は前記リード線係止部開口の縁部近傍に貼付される、ことを特徴とするファンであることを要旨としている。
【０００７】
また、本願の考案では、前記ハウジングは前記モータから導出された前記リード線を前記リード線係止部へと導くリード線ガイド部を有し、前記銘板腕部は前記リード線ガイド部を被う、ことを特徴とするファンであることを要旨としている。
【０００８】
また、本願の考案では、前記銘板指部に塗布された粘着材の粘着力は前記銘板本体部に塗布された粘着材の粘着力より強い、ことを特徴とするファンであることを要旨としている。
【０００９】
また、本願の考案では、前記銘板と前記ハウジングとはそれぞれ対応する位置合わせ部を少なくとも２箇所ずつ有する、ことを特徴とするファンであることを要旨としている。
【考案の効果】
【００１０】
本考案のファンによれば、銘板によって、リード線係止部の開口を封止することができる。より詳しくは、銘板手部がリード線係止部開口の少なくとも一部を被い、銘板指部がリード線係止部開口の縁部近傍に貼付されるため、リード線の抜け防止の確実性を向上できるという効果を有する。
【００１１】
さらに本考案によれば、銘板腕部がリード線ガイド部をも被うことにより、リード線ガイド部においてもリード線の抜けを防止することができるので、よりリード線の抜け防止を期することができるという効果を有する。
【００１２】
さらに本考案によれば、銘板指部に塗布された粘着材の粘着力が銘板本体部に塗布された粘着材の粘着力より強いことにより、ハウジングの外部からリード線を引っ張る応力が銘板を剥がす方向になった場合でも、よりリード線の抜け防止を期することができるという効果を有する。
【００１３】
さらに本考案によれば、銘板とハウジングとがそれぞれ対応する位置合わせ部を少なくとも２箇所ずつ有することにより、銘板の貼付位置の決定を精度良く行なうことができる。
【考案を実施するための最良の形態】
【００１４】
以下に図面を参照しながら本考案に係わるファン１に関する好適な実施例について説明する。本実施例は片面吸気の遠心ファン１を例にとり、ここではファン１の吸気側を上側、その反対側を下側とする。
【００１５】
図１は本考案に係わるファン１の上面斜視図であり、図２、図４、図５は下面斜視図である。
【００１６】
図１に示すように、ファン１はハウジング２とモータ３とインペラ７を有し、また図２、図４に示すように、ハウジング２はその下面にベース部５を有する。ベース部５はモータ３を支持し、その一端からリード線４が引き出される。ベース部５から引き出されたリード線４は、ベース部５からリード線ガイド部２４に案内されて、ハウジング２の外縁部２１の一部を切り欠いて設けられたリード線係止部２２内の空間に導かれる。リード線係止部２２はフック２２１と開口２３とからなり、開口２３の幅は切り欠きの幅よりもフック２２１の長さ分狭くなっている。図２では上記のリード線ガイド部２４及びリード線係止部２２の構造を見易くするためにリード線４を省略して示している。
【００１７】
図３に示すように、銘板６は本体部６１と、腕部６２と、腕部６２に連なる手部６３と、手部６３から延伸する指部６４とを有する。ここで銘板６の本体部６１には標章や製造番号等の必要事項が記載される。このような情報の一部は腕部６２や手部６３に記載されてもよい。また銘板６の素材は紙、プラスチック、金属など、薄片状ないしプレート状のものであれば種類を問わない。また、本体部６１とそれ以外の部位とで異なる素材としてもよい。
【００１８】
銘板６の裏面、すなわちハウジング２の下面と相対する面には粘着材が塗布されている。粘着材は銘板６の裏側全面に塗布されてもよいし、本体部６１及び指部６４の裏面のみに塗布されてもよい。また、本体部６１、腕部６２、手部６３、指部６４で粘着材の粘着力を異ならせてもよい。例えば、本体部６１の裏面に塗布する粘着材の粘着力よりも粘着力の強い粘着材を指部６４の裏面に塗布することで指部６４の固着力を強固にし、ハウジング２の外部からリード線４にかかる応力が銘板６を剥がす方向に強く作用した場合でも、リード線４の抜け防止を期することができる。
【００１９】
図４に示すように、銘板６をハウジング２に貼付する。このとき、銘板６の本体部６１がハウジング２のベース部５に、腕部６２がリード線ガイド部２４に、手部６３がリード線係止部２２の開口２３に、指部６４が開口２３の縁部２５に対応されるようにする。このとき、銘板６の貼付位置合わせ部６６Ａ、６６Ｂをそれぞれハウジング２の貼付位置合わせ部６６Ａ’、６６Ｂ’と対応させて銘板６の貼付位置を調整する。本実施例では銘板６の貼付位置合わせ部６６Ａ、６６Ｂは銘板６の腕部６２が本体部６１から伸びる付け根の部分に位置させているが、調整しやすい位置であれば場所は問わない。また、ハウジング２の貼付位置合わせ部６６Ａ’、６６Ｂ’は突起や凹部などによって構成してもよい。また貼付位置合わせ部は少なくとも２箇所あればよいが、銘板６の形状によっては３箇所以上設けてもよい。このように銘板６の貼付位置合わせ部６６Ａ、６６Ｂをそれぞれハウジング２の貼付位置合わせ部６６Ａ’、６６Ｂ’と対応させるだけで、容易に精度よく銘板６をハウジング２に貼付することができるので、貼付作業の作業性を向上させることができる。
【００２０】
図５は以上のようにして貼付した銘板６を備えるファン１を示す図である。図６は銘板６の手部６３がリード線係止部２２の開口２３を被う状態を、側面から見た拡大図である。この図から明らかなように銘板６の手部６３がリード線係止部２２の開口２３を塞ぎ、リード線４の移動を規制しているので、リード線４が開口２３から抜け出ることはない。また、銘板６の手部６３から延伸する指部６４は開口２３の縁部２５近傍のみならず、リード線係止部２２のフック２２１上面にも固着するので、リード線４が図中の上方向へ移動するような応力を受けた場合であっても銘板６の手部６３が剥がれることはない。
【００２１】
以上本考案の好適な実施例を図面を参照して詳述して来たが、具体的な構成はかかる実施例に限られるものではなく、本考案の要旨を逸脱しない範囲の変更、追加を施したものはすべて含まれるものである。例えば、銘板の形状は図面に開示のものに限られず、リード線係止部２２の開口２３を被覆する部位を有していれば本考案の要旨に含まれるものである。また、ファンは両面吸気の遠心ファンであってもよいし、軸流ファンであってもよい。
【図面の簡単な説明】
【００２２】
【図１】本考案に係わるファン１の上面斜視図である。
【図２】本考案に係わるファン１の下面斜視図である。
【図３】本考案に係わるファン１の銘板６を示す平面図である。
【図４】本考案に係わるファン１に銘板６を貼付する過程を示す説明図である。
【図５】本考案に係わるファン１の下面斜視図である。
【図６】本考案に係わるファン１の側面拡大図である。
【符号の説明】
【００２３】
１    ファン
２    ハウジング
３    モータ
４    リード線
５    ベース部
６    銘板
２１  ハウジングの外縁部
２２  リード線係止部
２３  開口
２４  リード線ガイド部
２５  開口の縁部
６１  銘板本体部
６２  銘板腕部
６３  銘板手部
６４  銘板指部
６６Ａ、６６Ｂ  銘板の貼付位置合わせ部
６６Ａ’、６６Ｂ’  ハウジングの貼付位置合わせ部
【図１】
0003147761.tif 000003
【図２】
0003147761.tif 000004
【図３】
0003147761.tif 000005
【図４】
0003147761.tif 000006
【図５】
0003147761.tif 000007
【図６】
0003147761.tif 000008